(57)【特許請求の範囲】
【請求項１】
画像情報の読み取り入力または印刷出力を実行する画像情報入／出力機器において、
当該画像情報入／出力機器からそれぞれ任意の距離にある複数の携帯無線端末と送信出力を可変させて通信可能とする無線通信モジュールと、
上記複数の携帯無線端末における各携帯無線端末と通信状態にある上記無線通信モジュールの送信出力値から上記複数の携帯無線端末における各携帯無線端末ごとの距離を算出する距離算出モジュールと、
少なくとも上記複数の携帯無線端末における各携帯無線端末を特定する識別情報、ユーザー情報、上記距離算出モジュールによって算出した距離及び時刻を管理する携帯無線端末管理モジュールと、
上記無線通信モジュールによる上記複数の携帯無線端末における各携帯無線端末との通信及び上記距離算出モジュールによる距離の算出を定期的に行わせるインターバルタイマと、
上記インターバルタイマによって上記無線通信モジュールによる上記複数の携帯無線端末における各携帯無線端末との通信が行われる度に、上記距離算出モジュールによって算出した距離に基づいて上記複数のユーザーにおけるいずれかのユーザーが当該画像情報入／出力機器に近づいたことを検知するとともに、上記携帯無線端末管理モジュールによって管理されている上記複数の携帯無線端末における各携帯無線端末を特定する識別情報に基づいて当該画像情報入／出力機器に近づいてきたユーザーの特定を行うユーザー判別モジュールと、
を具備したことを特徴とする画像情報入／出力機器。
【請求項２】
画像情報の読み取り入力または印刷出力を実行する画像情報入／出力機器において、
当該画像情報入／出力機器からそれぞれ任意の距離にある複数の携帯無線端末と送信出力を可変させて通信可能とする無線通信モジュールと、
上記複数の携帯無線端末における各携帯無線端末と通信状態にある上記無線通信モジュールの送信出力値から上記複数の携帯無線端末における各携帯無線端末ごとの距離を算出する距離算出モジュールと、
少なくとも上記複数の携帯無線端末における各携帯無線端末を特定する識別情報、ユーザー情報、上記距離算出モジュールによって算出した距離及び時刻を管理する携帯無線端末管理モジュールと、
上記無線通信モジュールによる上記複数の携帯無線端末における各携帯無線端末との通信及び上記距離算出モジュールによる距離の算出を定期的に行わせるインターバルタイマと、
複数のユーザーがそれぞれごとにカスタマイズした設定や操作画面を記憶するユーザー設定メモリと、
上記インターバルタイマによって上記無線通信モジュールによる上記複数の携帯無線端末における各携帯無線端末との通信が行われる度に、上記距離算出モジュールによって算出した距離に基づいて上記複数のユーザーにおけるいずれかのユーザーが当該画像情報入／出力機器に近づいたことを検知するとともに、上記携帯無線端末管理モジュールによって管理されている上記複数の携帯無線端末における各携帯無線端末を特定する識別情報に基づいて当該画像情報入／出力機器に近づいてきたユーザーの特定を行うユーザー判別モジュールと、
上記ユーザー判別モジュールによって特定されたユーザーがカスタマイズした上記設定及び操作画面に切り替えるために、上記ユーザー設定メモリから上記特定されたユーザーがカスタマイズした上記設定及び操作画面を読み出して表示するディスプレイと、
を具備したことを特徴とする画像情報入／出力機器。
【請求項３】
上記ディスプレイは、上記ユーザー判別モジュールによって特定されたユーザーが複数存在し、表示すべきユーザーがカスタマイズした上記設定及び操作画面への切り替えを特定できないときは、判別した複数の候補を画面に表示し、ユーザーが指定することによってユーザー設定を切り替え可能としたことを特徴とした請求項２に記載の画像情報入／出力機器。
【請求項４】
画像情報の読み取り入力または印刷出力を実行する画像情報入／出力機器の制御方法において、
当該画像情報入／出力機器からそれぞれ任意の距離にある複数の携帯無線端末と送信出力を可変させて通信可能とするステップと、
上記複数の携帯無線端末における各携帯無線端末と通信状態にあるときの送信出力値から上記複数の携帯無線端末における各携帯無線端末ごとの距離を算出するステップと、
少なくとも上記複数の携帯無線端末における各携帯無線端末を特定する識別情報、ユーザー情報、上記算出した距離及び時刻を管理するステップと、
上記複数の携帯無線端末における各携帯無線端末との通信及び上記距離の算出を定期的に行わせるステップと、
上記複数の携帯無線端末における各携帯無線端末との通信が行われる度に、上記算出した距離に基づいて上記複数のユーザーにおけるいずれかのユーザーが当該画像情報入／出力機器に近づいたことを検知するとともに、上記管理されている上記複数の携帯無線端末における各携帯無線端末を特定する識別情報に基づいて当該画像情報入／出力機器に近づいてきたユーザーの特定を行うステップと、を具備したことを特徴とする画像情報入／出力機器の制御方法。
【請求項５】
画像情報の読み取り入力または印刷出力を実行する画像情報入／出力機器の制御方法において、
当該画像情報入／出力機器からそれぞれ任意の距離にある複数の携帯無線端末と送信出力を可変させて通信可能とするステップと、
上記複数の携帯無線端末における各携帯無線端末と通信状態にあるときの送信出力値から上記複数の携帯無線端末における各携帯無線端末ごとの距離を算出するステップと、
少なくとも上記複数の携帯無線端末における各携帯無線端末を特定する識別情報、ユーザー情報、上記算出した距離及び時刻を管理するステップと、
上記複数の携帯無線端末における各携帯無線端末との通信及び上記距離の算出を定期的に行わせるステップと、
複数のユーザーがそれぞれごとにカスタマイズした設定や操作画面をメモリにあらかじめ記憶するステップと、
上記複数の携帯無線端末における各携帯無線端末との通信が行われる度に、上記算出した距離に基づいて上記複数のユーザーにおけるいずれかのユーザーが当該画像情報入／出力機器に近づいたことを検知するとともに、上記管理されている上記複数の携帯無線端末における各携帯無線端末を特定する識別情報に基づいて当該画像情報入／出力機器に近づいてきたユーザーの特定を行うステップと、上記特定されたユーザーがカスタマイズした上記設定及び操作画面に切り替えるために、上記メモリから特定されたユーザーがカスタマイズした上記設定及び操作画面を読み出して表示するステップと、
を具備したことを特徴とする画像情報入／出力機器の制御方法。
【請求項６】
上記表示するステップは、上記特定されたユーザーが複数存在し、表示すべきユーザーがカスタマイズした上記設定及び操作画面への切り替えを特定できないときは、判別した複数の候補を画面に表示し、ユーザーが指定することによってユーザー設定を切り替え可能としたことを特徴とした請求項５に記載の画像情報入／出力機器の制御方法。
【請求項７】
画像情報の読み取り入力または印刷出力を実行する画像情報入／出力機器において、
当該画像情報入／出力機器からそれぞれ任意の距離にある複数の携帯無線端末と送信出力を可変させて通信可能とする無線通信モジュールと、
上記複数の携帯無線端末における各携帯無線端末と通信状態にある上記無線通信モジュールの送信出力値から上記複数の携帯無線端末における各携帯無線端末ごとの距離を算出する距離算出モジュールと、
少なくとも上記複数の携帯無線端末における各携帯無線端末を特定する識別情報、ユーザー情報、上記距離算出モジュールによって算出した距離及び時刻を管理する携帯無線端末管理モジュールと、
上記無線通信モジュールによる上記複数の携帯無線端末における各携帯無線端末との通信及び上記距離算出モジュールによる距離の算出を定期的に行わせるインターバルタイマと、
少なくともクライアント端末装置を特定する識別情報、ユーザーを管理するクライアント端末管理モジュールと、
上記インターバルタイマによって上記無線通信モジュールによる上記複数の携帯無線端末における各携帯無線端末との通信が行われる度に、上記距離算出モジュールによって算出した距離に基づいて上記複数のユーザーにおけるいずれかのユーザーが当該画像情報入／出力機器に近づいたことを検知するとともに、上記携帯無線端末管理モジュールによって管理されている上記複数の携帯無線端末における各携帯無線端末を特定する識別情報に基づいて当該画像情報入／出力機器に近づいてきたユーザーの特定を行うユーザー判別モジュールと、
上記ユーザー判別モジュールによって特定されたユーザーがプライベート印刷を要求していたときに、自動的に印刷を開始させる制御モジュールと、
を具備したことを特徴とする画像情報入／出力機器。
【請求項８】
画像情報の読み取り入力または印刷出力を実行する画像情報入／出力機器の制御方法において、
当該画像情報入／出力機器からそれぞれ任意の距離にある複数の携帯無線端末と送信出力を可変させて通信可能とするステップと、
上記複数の携帯無線端末における各携帯無線端末と通信状態にあるときの送信出力値から上記複数の携帯無線端末における各携帯無線端末ごとの距離を算出するステップと、
少なくとも上記複数の携帯無線端末における各携帯無線端末を特定する識別情報、ユーザー情報、上記算出した距離及び時刻を管理するステップと、
上記複数の携帯無線端末における各携帯無線端末との通信及び上記距離の算出を定期的に行わせるステップと、
少なくともクライアント端末装置を特定する識別情報、ユーザーを管理するステップと、
上記複数の携帯無線端末における各携帯無線端末との通信が行われる度に、上記算出した距離に基づいて上記複数のユーザーにおけるいずれかのユーザーが当該画像情報入／出力機器に近づいたことを検知するとともに、上記複数の携帯無線端末における各携帯無線端末を特定する識別情報に基づいて当該画像情報入／出力機器に近づいてきたユーザーの特定を行うステップと、
上記特定されたユーザーがプライベート印刷を要求していたときに、自動的に印刷を開始させるステップと、
を具備したことを特徴とする画像情報入／出力機器の制御方法。
【請求項９】
画像情報の読み取り入力または印刷出力を実行する画像情報入／出力機器において、
当該画像情報入／出力機器からそれぞれ任意の距離にある複数の携帯無線端末と送信出力を可変させて通信可能とする無線通信モジュールと、
上記複数の携帯無線端末における各携帯無線端末と通信状態にある上記無線通信モジュールの送信出力値から上記複数の携帯無線端末における各携帯無線端末ごとの距離を算出する距離算出モジュールと、
少なくとも上記複数の携帯無線端末における各携帯無線端末を特定する識別情報、ユーザー情報、上記距離算出モジュールによって算出した距離及び時刻を管理する携帯無線端末管理モジュールと、
上記無線通信モジュールによる上記複数の携帯無線端末における各携帯無線端末との通信及び上記距離算出モジュールによる距離の算出を定期的に行わせるインターバルタイマと、
少なくとも複数のクライアント端末装置における各クライアント端末装置を特定する識別情報、ユーザーを管理するクライアント端末管理モジュールと、
上記複数のクライアント端末装置における特定のクライアント端末装置から要求された印刷ジョブが終了したことを当該クライアント端末装置に通知し、印刷原稿が受領されるまで定期的に受領要求通知を行う通知モジュールと、
上記インターバルタイマによって上記無線通信モジュールによる上記複数の携帯無線端末における各携帯無線端末との通信が行われる度に、上記距離算出モジュールによって算出した距離に基づいて上記複数のユーザーにおけるいずれかのユーザーが当該画像情報入／出力機器に近づいたことを検知するとともに、上記携帯無線端末管理モジュールによって管理されている上記複数の携帯無線端末における各携帯無線端末を特定する識別情報に基づいて上記受領要求通知を行っているユーザーが当該画像情報入／出力機器に近づいてきたことを判別するユーザー判別モジュールと、
上記ユーザー判別モジュールによって判別された受領要求通知を行っているユーザーとの距離が最短になったことを検知して当該ユーザーが印刷原稿を受領したとして受領要求通知を終了させる制御モジュールと、
を具備したことを特徴とする画像情報入／出力機器。
【請求項１０】
画像情報の読み取り入力または印刷出力を実行する画像情報入／出力機器の制御方法において、
当該画像情報入／出力機器からそれぞれ任意の距離にある複数の携帯無線端末と送信出力を可変させて通信可能とするステップと、
上記複数の携帯無線端末における各携帯無線端末と通信状態にあるときの送信出力値から上記複数の携帯無線端末における各携帯無線端末ごとの距離を算出するステップと、
少なくとも上記複数の携帯無線端末における各携帯無線端末を特定する識別情報、ユーザー情報、上記算出した距離及び時刻を管理するステップと、
上記複数の携帯無線端末における各携帯無線端末との通信及び上記距離の算出を定期的に行わせるステップと、
少なくとも複数のクライアント端末装置における各クライアント端末装置を特定する識別情報、ユーザーを管理するステップと、
上記複数のクライアント端末装置における特定のクライアント端末装置から要求された印刷ジョブが終了したことを当該クライアント端末装置に通知し、印刷原稿が受領されるまで定期的に受領要求通知を行うステップと、
上記複数の携帯無線端末における各携帯無線端末との通信が行われる度に、上記算出した距離に基づいて上記複数のユーザーにおけるいずれかのユーザーが当該画像情報入／出力機器に近づいたことを検知するとともに、上記管理されている上記複数の携帯無線端末における各携帯無線端末を特定する識別情報に基づいて上記受領要求通知を行っているユーザーが当該画像情報入／出力機器に近づいてきたことを判別するステップと、
上記判別された受領要求通知を行っているユーザーとの距離が最短になったことを検知して当該ユーザーが印刷原稿を受領したとして受領要求通知を終了させステップと、
を具備したことを特徴とする画像情報入／出力機器の制御方法。
【請求項１１】
入出力機器及び該入出力機器に所定の入出力の要求を行う複数のクライアント端末のそれぞれに通知手段としての短距離無線通信システムを搭載した入出力機器管理システムであって、
上記入出力機器及び複数のクライアント端末のそれぞれに上記短距離無線通信システムとして搭載され、所定の位置あるいはそこから移動した任意の位置にいる上記複数のクライアント端末を利用する複数のユーザーが所有している複数の携帯無線端末における各携帯無線端末と送信出力を可変させて通信可能とする無線通信モジュールと、
上記入出力機器及び複数のクライアント端末のそれぞれに搭載され、上記複数の携帯無線端末における各携帯無線端末と通信状態にある上記無線通信モジュールの送信出力値から上記複数の携帯無線端末における各携帯無線端末と上記入出力機器及び複数のクライアント端末のそれぞれの間の距離を算出する距離算出モジュールと、
上記入出力機器及び複数のクライアント端末のそれぞれに搭載され、少なくとも上記複数の携帯無線端末における各携帯無線端末を特定する識別情報、ユーザー情報、上記距離算出モジュールによって算出した距離及び時刻を管理する携帯無線端末管理モジュールと、
上記入出力機器及び複数のクライアント端末のそれぞれに搭載され、上記無線通信モジュールによる上記複数の携帯無線端末における各携帯無線端末との通信及び上記距離算出モジュールによる距離の算出を定期的に行わせるインターバルタイマと、
上記入出力機器及び複数のクライアント端末のそれぞれに搭載され、上記複数の携帯無線端末のうちのいずれかの通知対象機器が通知を行いたい上記入出力機器または上記複数のクライアント端末のいずれかの機器の通信可能範囲内に存在しないとき、上記通知対象機器へ通知可能なクライアント端末を上記携帯無線端末管理モジュールによって管理されている上記複数の携帯無線端末における各携帯無線端末を特定する識別情報、ユーザー情報、上記距離算出モジュールによって算出した距離に基づいて探し出す通知可能クライアント端末探出モジュールと、
上記入出力機器及び複数のクライアント端末のそれぞれに搭載され、上記通知可能クライアント端末探出モジュールによって探し出された通知可能なクライアント端末装置に上記通知対象機器の通知先、通知方法、通知内容等を伝達し、上記通知対象機器へ間接的に通知を可能とする間接通知モジュールと、
を具備したことを特徴とする入出力機器管理システム。
【請求項１２】
通知対象機器が全てのクライアント端末の通信可能範囲内に存在しないときその通知処理を保留し、通信可能範囲内に存在することを検知したとき、その通知処理を再開する通知処理再開モジュールをさらに具備したことを特徴とする請求項１１に記載の入出力機器管理システム。
【請求項１３】
通知内容が障害・エラー等の緊急度が高いときは、通知を保留せず、通知対象者の所持する携帯電話へ一般公衆回線を使用して通知を可能とすることを特徴とする請求項１２に記載の入出力機器管理システム。
【請求項１４】
通知内容が障害・エラー等の緊急度が高いとき、その通知された障害・エラー等に対して何らかの処置がなされたかを検知する検知モジュールを有し、所定時間経過後に、それらに対して処置が行われていないとき、処理要求の待ちテーブルにある通知してない要求者へ通知範囲を広げ、通知が繰り返される度にその範囲を広げることを特徴とする請求項１３に記載の入出力機器管理システム。
【請求項１５】
入出力機器及び該入出力機器に所定の入出力の要求を行う複数のクライアント端末のそれぞれに通知手段としての短距離無線通信システムを搭載した入出力機器管理システムの制御方法であって、
上記入出力機器及び複数のクライアント端末のそれぞれから、所定の位置あるいはそこから移動した任意の位置にいる上記複数のクライアント端末を利用する複数のユーザーが所有している複数の携帯無線端末における各携帯無線端末と送信出力を可変させて通信可能とするステップと、
上記入出力機器及び複数のクライアント端末のそれぞれにおいて、上記複数の携帯無線端末における各携帯無線端末と通信状態にある上記無線通信モジュールの送信出力値から上記複数の携帯無線端末における各携帯無線端末と上記入出力機器及び複数のクライアント端末のそれぞれの間の距離を算出するステップと、
上記入出力機器及び複数のクライアント端末のそれぞれにおいて、少なくとも上記複数の携帯無線端末における各携帯無線端末を特定する識別情報、ユーザー情報、上記距離算出モジュールによって算出した距離及び時刻を管理するステップと、
上記入出力機器及び複数のクライアント端末のそれぞれにおいて、上記複数の携帯無線端末における各携帯無線端末との通信及び上記距離の算出を定期的に行わせるステップと、
上記入出力機器及び複数のクライアント端末のそれぞれにおいて、上記複数の携帯無線端末のうちのいずれかの通知対象機器が通知を行いたい上記入出力機器または上記複数のクライアント端末のいずれかの機器の通信可能範囲内に存在しないとき、通知対象機器へ通知可能なクライアント端末を上記複数の携帯無線端末における各携帯無線端末を特定する識別情報、上記算出した距離に基づいて探し出すステップと、
上記探し出された通知可能なクライアント端末装置に上記通知対象機器の通知先、通知方法、通知内容等を伝達し、上記通知対象機器へ間接的に通知を可能とするステップと、を具備したことを特徴とする入出力機器管理システムの制御方法。
【請求項１６】
通知対象機器が全てのクライアント端末の通信可能範囲内に存在しないときその通知処理を保留し、通信可能範囲内に存在することを検知したとき、その通知処理を再開するステップをさらに具備したことを特徴とする請求項１５に記載の入出力機器管理システムの制御方法。
【請求項１７】
通知内容が障害・エラー等の緊急度が高いときは、通知を保留せず、通知対象者の所持する携帯電話へ一般公衆回線を使用して通知を可能とするステップをさらに具備したことを特徴とする請求項１６に記載の入出力機器管理システムの制御方法。
【請求項１８】
通知内容が障害・エラー等の緊急度が高いときは、その通知された障害・エラー等に対して何らかの処置がなされたかを検知するステップと、
一定時間経過後に、それらに対して処置が行われていないとき、処理要求の待ちテーブルにある通知してない要求者へ通知範囲を広げ、通知が繰り返される度にその範囲を広げるステップとをさらに具備したことを特徴とする請求項１７に記載の入出力機器管理システムの制御方法。
【発明の詳細な説明】
【０００１】
【発明の属する技術分野】
本発明は画像情報入／出力機器及び携帯機器を用いて画像情報入／出力機器を管理するシステムに並びにそれらの制御方法に係り、特に、コピー機能、スキャナ機能、プリンタ機能、ファクシミリ機能、ネットワーク通信機能等を有する複合型のデジタル電子複写機（画像形成装置）等の画像情報入／出力機器及び携帯機器を用いて画像情報入／出力機器を管理するシステムに並びにそれらの制御方法に関する。
【０００２】
【従来の技術】
従来、画像情報の読み取り入力または印刷出力等を実行する上述のような画像情報入／出力機器としての画像形成装置において、例えば、印刷要求があったとき、その印刷処理中に障害が発生した場合などに、ネットワークを通じて発信元に障害が発生したことを通知したり、あらかじめクライアント端末と画像形成装置の相対距離を登録しておき、障害発生時に、ネットワークを通じて距離の近いクライアント端末に通知を行い障害の回復を促したり、その障害の程度によってはカスタマーエンジニアへ直接通知したりする画像情報入／出力機器及びその管理システムが知られている。
【０００３】
【発明が解決しようとする課題】
しかしながら、このような従来の画像情報入／出力機器及びその管理システムでは、あらかじめクライアント端末と画像形成装置の相対距離を登録しておき、障害発生時に、ネットワークを通じて距離の近いクライアント端末に通知する方式なので、その通知先は固定されたクライアント端末であるとともに、必ずしも、その固定されたクライアント端末の前に人がいるとも限らず、効率良い通知方法といえない。
【０００４】
また、このような従来の画像情報入／出力機器及びその管理システムでは、あらかじめクライアント端末と画像形成装置の相対距離を登録しておき、障害発生時に、ネットワークを通じて距離の近いクライアント端末に通知する場合には、距離が近いというだけで印刷要求もしていないユーザーに、障害通知が来ることになり、ユーザーに不満の残る通知方法となっている。
【０００５】
さらに、このような従来の画像情報入／出力機器及びその管理システムでは、あらかじめクライアント端末と画像形成装置の相対距離を登録しておき、障害発生時に、ネットワークを通じて距離の近いクライアント端末に通知するだけなので、移動しているユーザーとの間の距離が無視されているとともに、当該画像形成装置に近づいてきたユーザーに対して当該画像形成装置側で当該ユーザーが意図する処理に有効的な対応を事前に提供し得ないという不都合があった。
【０００６】
本発明は、上記の事情に鑑みてなされたもので、移動しているユーザーとの間の距離が無視されることなく、近づいてきたユーザーに対して有効的な対応を事前に取り得るようにした画像情報入／出力機器及びその画像情報入／出力機器の障害発生時の障害通知を効率的になしうるようにして、ユーザーに不満が残らない障害通知を実現し得るように携帯機器を用いて画像情報入／出力機器を管理するシステム並びにそれらの制御方法を提供することを目的とする。
【０００７】
【課題を解決するための手段】
上記課題を解決するために、本発明によれば、
（１）画像情報の読み取り入力または印刷出力を実行する画像情報入／出力機器において、
当該画像情報入／出力機器からそれぞれ任意の距離にある複数の携帯無線端末と送信出力を可変させて通信可能とする無線通信モジュールと、
上記複数の携帯無線端末における各携帯無線端末と通信状態にある上記無線通信モジュールの送信出力値から上記複数の携帯無線端末における各携帯無線端末ごとの距離を算出する距離算出モジュールと、
少なくとも上記複数の携帯無線端末における各携帯無線端末を特定する識別情報、ユーザー情報、上記距離算出モジュールによって算出した距離及び時刻を管理する携帯無線端末管理モジュールと、
上記無線通信モジュールによる上記複数の携帯無線端末における各携帯無線端末との通信及び上記距離算出モジュールによる距離の算出を定期的に行わせるインターバルタイマと、
上記インターバルタイマによって上記無線通信モジュールによる上記複数の携帯無線端末における各携帯無線端末との通信が行われる度に、上記距離算出モジュールによって算出した距離に基づいて上記複数のユーザーにおけるいずれかのユーザーが当該画像情報入／出力機器に近づいたことを検知するとともに、上記携帯無線端末管理モジュールによって管理されている上記複数の携帯無線端末における各携帯無線端末を特定する識別情報に基づいて当該画像情報入／出力機器に近づいてきたユーザーの特定を行うユーザー判別モジュールと、
を具備したことを特徴とする画像情報入／出力機器が提供される。
【０００８】
また、上記課題を解決するために、本発明によれば、
（２）画像情報の読み取り入力または印刷出力を実行する画像情報入／出力機器において、
当該画像情報入／出力機器からそれぞれ任意の距離にある複数の携帯無線端末と送信出力を可変させて通信可能とする無線通信モジュールと、
上記複数の携帯無線端末における各携帯無線端末と通信状態にある上記無線通信モジュールの送信出力値から上記複数の携帯無線端末における各携帯無線端末ごとの距離を算出する距離算出モジュールと、
少なくとも上記複数の携帯無線端末における各携帯無線端末を特定する識別情報、ユーザー情報、上記距離算出モジュールによって算出した距離及び時刻を管理する携帯無線端末管理モジュールと、
上記無線通信モジュールによる上記複数の携帯無線端末における各携帯無線端末との通信及び上記距離算出モジュールによる距離の算出を定期的に行わせるインターバルタイマと、
複数のユーザーがそれぞれごとにカスタマイズした設定や操作画面を記憶するユーザー設定メモリと、
上記インターバルタイマによって上記無線通信モジュールによる上記複数の携帯無線端末における各携帯無線端末との通信が行われる度に、上記距離算出モジュールによって算出した距離に基づいて上記複数のユーザーにおけるいずれかのユーザーが当該画像情報入／出力機器に近づいたことを検知するとともに、上記携帯無線端末管理モジュールによって管理されている上記複数の携帯無線端末における各携帯無線端末を特定する識別情報に基づいて当該画像情報入／出力機器に近づいてきたユーザーの特定を行うユーザー判別モジュールと、
上記ユーザー判別モジュールによって特定されたユーザーがカスタマイズした上記設定及び操作画面に切り替えるために、上記ユーザー設定メモリから上記特定されたユーザーがカスタマイズした上記設定及び操作画面を読み出して表示するディスプレイと、
を具備したことを特徴とする画像情報入／出力機器が提供される。
【０００９】
また、上記課題を解決するために、本発明によれば、
（３）上記ディスプレイは、上記ユーザー判別モジュールによって特定されたユーザーが複数存在し、表示すべきユーザーがカスタマイズした上記設定及び操作画面への切り替えを特定できないときは、判別した複数の候補を画面に表示し、ユーザーが指定することによってユーザー設定を切り替え可能としたことを特徴とした（２）に記載の画像情報入／出力機器が提供される。
【００１０】
また、上記課題を解決するために、本発明によれば、
（４）画像情報の読み取り入力または印刷出力を実行する画像情報入／出力機器の制御方法において、
当該画像情報入／出力機器からそれぞれ任意の距離にある複数の携帯無線端末と送信出力を可変させて通信可能とするステップと、
上記複数の携帯無線端末における各携帯無線端末と通信状態にあるときの送信出力値から上記複数の携帯無線端末における各携帯無線端末ごとの距離を算出するステップと、
少なくとも上記複数の携帯無線端末における各携帯無線端末を特定する識別情報、ユーザー情報、上記算出した距離及び時刻を管理するステップと、
上記複数の携帯無線端末における各携帯無線端末との通信及び上記距離の算出を定期的に行わせるステップと、
上記複数の携帯無線端末における各携帯無線端末との通信が行われる度に、上記算出した距離に基づいて上記複数のユーザーにおけるいずれかのユーザーが当該画像情報入／出力機器に近づいたことを検知するとともに、上記管理されている上記複数の携帯無線端末における各携帯無線端末を特定する識別情報に基づいて当該画像情報入／出力機器に近づいてきたユーザーの特定を行うステップと、を具備したことを特徴とする画像情報入／出力機器の制御方法が提供される。
【００１１】
また、上記課題を解決する達成するために、本発明によれば、
（５）画像情報の読み取り入力または印刷出力を実行する画像情報入／出力機器の制御方法において、
当該画像情報入／出力機器からそれぞれ任意の距離にある複数の携帯無線端末と送信出力を可変させて通信可能とするステップと、
上記複数の携帯無線端末における各携帯無線端末と通信状態にあるときの送信出力値から上記複数の携帯無線端末における各携帯無線端末ごとの距離を算出するステップと、
少なくとも上記複数の携帯無線端末における各携帯無線端末を特定する識別情報、ユーザー情報、上記算出した距離及び時刻を管理するステップと、
上記複数の携帯無線端末における各携帯無線端末との通信及び上記距離の算出を定期的に行わせるステップと、
複数のユーザーがそれぞれごとにカスタマイズした設定や操作画面をメモリにあらかじめ記憶するステップと、
上記複数の携帯無線端末における各携帯無線端末との通信が行われる度に、上記算出した距離に基づいて上記複数のユーザーにおけるいずれかのユーザーが当該画像情報入／出力機器に近づいたことを検知するとともに、上記管理されている上記複数の携帯無線端末における各携帯無線端末を特定する識別情報に基づいて当該画像情報入／出力機器に近づいてきたユーザーの特定を行うステップと、上記特定されたユーザーがカスタマイズした上記設定及び操作画面に切り替えるために、上記メモリから特定されたユーザーがカスタマイズした上記設定及び操作画面を読み出して表示するステップと、
を具備したことを特徴とする画像情報入／出力機器の制御方法が提供される。
【００１２】
また、上記課題を解決する達成するために、本発明によれば、
（６）上記表示するステップは、上記特定されたユーザーが複数存在し、表示すべきユーザーがカスタマイズした上記設定及び操作画面への切り替えを特定できないときは、判別した複数の候補を画面に表示し、ユーザーが指定することによってユーザー設定を切り替え可能としたことを特徴とした（５）に従う画像情報入／出力機器の制御方法が提供される。
【００１３】
また、上記課題を解決する達成するために、本発明によれば、
（７）画像情報の読み取り入力または印刷出力を実行する画像情報入／出力機器において、
当該画像情報入／出力機器からそれぞれ任意の距離にある複数の携帯無線端末と送信出力を可変させて通信可能とする無線通信モジュールと、
上記複数の携帯無線端末における各携帯無線端末と通信状態にある上記無線通信モジュールの送信出力値から上記複数の携帯無線端末における各携帯無線端末ごとの距離を算出する距離算出モジュールと、
少なくとも上記複数の携帯無線端末における各携帯無線端末を特定する識別情報、ユーザー情報、上記距離算出モジュールによって算出した距離及び時刻を管理する携帯無線端末管理モジュールと、
上記無線通信モジュールによる上記複数の携帯無線端末における各携帯無線端末との通信及び上記距離算出モジュールによる距離の算出を定期的に行わせるインターバルタイマと、
少なくともクライアント端末装置を特定する識別情報、ユーザーを管理するクライアント端末管理モジュールと、
上記インターバルタイマによって上記無線通信モジュールによる上記複数の携帯無線端末における各携帯無線端末との通信が行われる度に、上記距離算出モジュールによって算出した距離に基づいて上記複数のユーザーにおけるいずれかのユーザーが当該画像情報入／出力機器に近づいたことを検知するとともに、上記携帯無線端末管理モジュールによって管理されている上記複数の携帯無線端末における各携帯無線端末を特定する識別情報に基づいて当該画像情報入／出力機器に近づいてきたユーザーの特定を行うユーザー判別モジュールと、
上記ユーザー判別モジュールによって特定されたユーザーがプライベート印刷を要求していたときに、自動的に印刷を開始させる制御モジュールと、
を具備したことを特徴とする画像情報入／出力機器が提供される。
【００１４】
また、上記課題を解決するために、本発明によれば、
（８）画像情報の読み取り入力または印刷出力を実行する画像情報入／出力機器の制御方法において、
当該画像情報入／出力機器からそれぞれ任意の距離にある複数の携帯無線端末と送信出力を可変させて通信可能とするステップと、
上記複数の携帯無線端末における各携帯無線端末と通信状態にあるときの送信出力値から上記複数の携帯無線端末における各携帯無線端末ごとの距離を算出するステップと、
少なくとも上記複数の携帯無線端末における各携帯無線端末を特定する識別情報、ユーザー情報、上記算出した距離及び時刻を管理するステップと、
上記複数の携帯無線端末における各携帯無線端末との通信及び上記距離の算出を定期的に行わせるステップと、
少なくともクライアント端末装置を特定する識別情報、ユーザーを管理するステップと、
上記複数の携帯無線端末における各携帯無線端末との通信が行われる度に、上記算出した距離に基づいて上記複数のユーザーにおけるいずれかのユーザーが当該画像情報入／出力機器に近づいたことを検知するとともに、上記複数の携帯無線端末における各携帯無線端末を特定する識別情報に基づいて当該画像情報入／出力機器に近づいてきたユーザーの特定を行うステップと、
上記特定されたユーザーがプライベート印刷を要求していたときに、自動的に印刷を開始させるステップと、
を具備したことを特徴とする画像情報入／出力機器の制御方法が提供される。
【００１５】
また、上記課題を解決するために、本発明によれば、
（９）画像情報の読み取り入力または印刷出力を実行する画像情報入／出力機器において、
当該画像情報入／出力機器からそれぞれ任意の距離にある複数の携帯無線端末と送信出力を可変させて通信可能とする無線通信モジュールと、
上記複数の携帯無線端末における各携帯無線端末と通信状態にある上記無線通信モジュールの送信出力値から上記複数の携帯無線端末における各携帯無線端末ごとの距離を算出する距離算出モジュールと、
少なくとも上記複数の携帯無線端末における各携帯無線端末を特定する識別情報、ユーザー情報、上記距離算出モジュールによって算出した距離及び時刻を管理する携帯無線端末管理モジュールと、
上記無線通信モジュールによる上記複数の携帯無線端末における各携帯無線端末との通信及び上記距離算出モジュールによる距離の算出を定期的に行わせるインターバルタイマと、
少なくとも複数のクライアント端末装置における各クライアント端末装置を特定する識別情報、ユーザーを管理するクライアント端末管理モジュールと、
上記複数のクライアント端末装置における特定のクライアント端末装置から要求された印刷ジョブが終了したことを当該クライアント端末装置に通知し、印刷原稿が受領されるまで定期的に受領要求通知を行う通知モジュールと、
上記インターバルタイマによって上記無線通信モジュールによる上記複数の携帯無線端末における各携帯無線端末との通信が行われる度に、上記距離算出モジュールによって算出した距離に基づいて上記複数のユーザーにおけるいずれかのユーザーが当該画像情報入／出力機器に近づいたことを検知するとともに、上記携帯無線端末管理モジュールによって管理されている上記複数の携帯無線端末における各携帯無線端末を特定する識別情報に基づいて上記受領要求通知を行っているユーザーが当該画像情報入／出力機器に近づいてきたことを判別するユーザー判別モジュールと、
上記ユーザー判別モジュールによって判別された受領要求通知を行っているユーザーとの距離が最短になったことを検知して当該ユーザーが印刷原稿を受領したとして受領要求通知を終了させる制御モジュールと、
を具備したことを特徴とする画像情報入／出力機器が提供される。
【００１６】
また、上記課題を解決するために、本発明によれば、
（１０）画像情報の読み取り入力または印刷出力を実行する画像情報入／出力機器の制御方法において、
当該画像情報入／出力機器からそれぞれ任意の距離にある複数の携帯無線端末と送信出力を可変させて通信可能とするステップと、
上記複数の携帯無線端末における各携帯無線端末と通信状態にあるときの送信出力値から上記複数の携帯無線端末における各携帯無線端末ごとの距離を算出するステップと、
少なくとも上記複数の携帯無線端末における各携帯無線端末を特定する識別情報、ユーザー情報、上記算出した距離及び時刻を管理するステップと、
上記複数の携帯無線端末における各携帯無線端末との通信及び上記距離の算出を定期的に行わせるステップと、
少なくとも複数のクライアント端末装置における各クライアント端末装置を特定する識別情報、ユーザーを管理するステップと、
上記複数のクライアント端末装置における特定のクライアント端末装置から要求された印刷ジョブが終了したことを当該クライアント端末装置に通知し、印刷原稿が受領されるまで定期的に受領要求通知を行うステップと、
上記複数の携帯無線端末における各携帯無線端末との通信が行われる度に、上記算出した距離に基づいて上記複数のユーザーにおけるいずれかのユーザーが当該画像情報入／出力機器に近づいたことを検知するとともに、上記管理されている上記複数の携帯無線端末における各携帯無線端末を特定する識別情報に基づいて上記受領要求通知を行っているユーザーが当該画像情報入／出力機器に近づいてきたことを判別するステップと、
上記判別された受領要求通知を行っているユーザーとの距離が最短になったことを検知して当該ユーザーが印刷原稿を受領したとして受領要求通知を終了させステップと、
を具備したことを特徴とする画像情報入／出力機器の制御方法が提供される。
【００１７】
また、上記課題を解決するために、本発明によれば、
（１１）入出力機器及び該入出力機器に所定の入出力の要求を行う複数のクライアント端末のそれぞれに通知手段としての短距離無線通信システムを搭載した入出力機器管理システムであって、
上記入出力機器及び複数のクライアント端末のそれぞれに上記短距離無線通信システムとして搭載され、所定の位置あるいはそこから移動した任意の位置にいる上記複数のクライアント端末を利用する複数のユーザーが所有している複数の携帯無線端末における各携帯無線端末と送信出力を可変させて通信可能とする無線通信モジュールと、
上記入出力機器及び複数のクライアント端末のそれぞれに搭載され、上記複数の携帯無線端末における各携帯無線端末と通信状態にある上記無線通信モジュールの送信出力値から上記複数の携帯無線端末における各携帯無線端末と上記入出力機器及び複数のクライアント端末のそれぞれの間の距離を算出する距離算出モジュールと、
上記入出力機器及び複数のクライアント端末のそれぞれに搭載され、少なくとも上記複数の携帯無線端末における各携帯無線端末を特定する識別情報、ユーザー情報、上記距離算出モジュールによって算出した距離及び時刻をそれぞれ管理する携帯無線端末管理モジュールと、
上記入出力機器及び複数のクライアント端末のそれぞれに搭載され、上記無線通信モジュールによる上記複数の携帯無線端末における各携帯無線端末との通信及び上記距離算出モジュールによる距離の算出を定期的に行わせるインターバルタイマと、
上記入出力機器及び複数のクライアント端末のそれぞれに搭載され、上記複数の携帯無線端末のうちのいずれかの通知対象機器が通知を行いたい上記入出力機器または上記複数のクライアント端末のいずれかの機器の通信可能範囲内に存在しないとき、上記通知対象機器へ通知可能なクライアント端末を上記携帯無線端末管理モジュールによって管理されている上記複数の携帯無線端末における各携帯無線端末を特定する識別情報、ユーザー情報、上記距離算出モジュールによって算出した距離に基づいて探し出す通知可能クライアント端末探出モジュールと、
上記入出力機器及び複数のクライアント端末のそれぞれに搭載され、上記通知可能クライアント端末探出モジュールによって探し出された通知可能なクライアント端末装置に上記通知対象機器の通知先、通知方法、通知内容等を伝達し、上記通知対象機器へ間接的に通知を可能とする間接通知モジュールと、
を具備したことを特徴とする入出力機器管理システムが提供される。
【００１８】
また、上記課題を解決するために、本発明によれば、
（１２）通知対象機器が全てのクライアント端末の通信可能範囲内に存在しないときその通知処理を保留し、通信可能範囲内に存在することを検知したとき、その通知処理を再開する通知処理再開モジュールをさらに具備したことを特徴とする（１１）に記載の入出力機器管理システムが提供される。
【００１９】
また、上記課題を解決するために、本発明によれば、
（１３）通知内容が障害・エラー等の緊急度が高いときは、通知を保留せず、通知対象者の所持する携帯電話へ一般公衆回線を使用して通知を可能とすることを特徴とする（１２）に記載の入出力機器管理システムが提供される。
【００２０】
また、上記課題を解決するために、本発明によれば、
（１４）通知内容が障害・エラー等の緊急度が高いときは、その通知された障害・エラー等に対して何らかの処置がなされたかを検知する検知モジュールを有し、所定時間経過後に、それらに対して処置が行われていないとき、処理要求の待ちテーブルにある通知してない要求者へ通知範囲を広げ、通知が繰り返される度にその範囲を広げることを特徴とする（１３）に記載の入出力機器管理システムが提供される。
【００２１】
また、上記課題を解決するために、本発明によれば、
入出力機器及び該入出力機器に所定の入出力の要求を行う複数のクライアント端末のそれぞれに通知手段としての短距離無線通信システムを搭載した入出力機器管理システムの制御方法であって、
上記入出力機器及び複数のクライアント端末のそれぞれから、所定の位置あるいはそこから移動した任意の位置にいる上記複数のクライアント端末を利用する複数のユーザーが所有している複数の携帯無線端末における各携帯無線端末と送信出力を可変させて通信可能とするステップと、
上記入出力機器及び複数のクライアント端末のそれぞれにおいて、上記複数の携帯無線端末における各携帯無線端末と通信状態にある上記無線通信モジュールの送信出力値から上記複数の携帯無線端末における各携帯無線端末と上記入出力機器及び複数のクライアント端末のそれぞれの間の距離を算出するステップと、
上記入出力機器及び複数のクライアント端末のそれぞれにおいて、少なくとも上記複数の携帯無線端末における各携帯無線端末を特定する識別情報、ユーザー情報、上記距離算出モジュールによって算出した距離及び時刻を管理するステップと、
上記入出力機器及び複数のクライアント端末のそれぞれにおいて、上記複数の携帯無線端末における各携帯無線端末との通信及び上記距離の算出を定期的に行わせるステップと、
上記入出力機器及び複数のクライアント端末のそれぞれにおいて、上記複数の携帯無線端末のうちのいずれかの通知対象機器が通知を行いたい上記入出力機器または上記複数のクライアント端末のいずれかの機器の通信可能範囲内に存在しないとき、通知対象機器へ通知可能なクライアント端末を上記複数の携帯無線端末における各携帯無線端末を特定する識別情報、上記算出した距離に基づいて探し出すステップと、
上記探し出された通知可能なクライアント端末装置に上記通知対象機器の通知先、通知方法、通知内容等を伝達し、上記通知対象機器へ間接的に通知を可能とするステップと、を具備したことを特徴とする入出力機器管理システムの制御方法が提供される。
また、上記課題を解決するために、本発明によれば、
（１６）通知対象機器が全てのクライアント端末の通信可能範囲内に存在しないときその通知処理を保留し、通信可能範囲内に存在することを検知したとき、その通知処理を再開するステップをさらに具備したことを特徴とする（１５）に記載の入出力機器管理システムの制御方法が提供される。
【００２２】
また、上記課題を解決するために、本発明によれば、
（１７）通知内容が障害・エラー等の緊急度が高いときは、通知を保留せず、通知対象者の所持する携帯電話へ一般公衆回線を使用して通知を可能とするステップをさらに具備したことを特徴とする（１６）に記載の入出力機器管理システムの制御方法が提供される。
【００２３】
また、上記課題を解決するために、本発明によれば、
（１８）通知内容が障害・エラー等の緊急度が高いときは、その通知された障害・エラー等に対して何らかの処置がなされたかを検知するステップと、
一定時間経過後に、それらに対して処置が行われていないとき、処理要求の待ちテーブルにある通知してない要求者へ通知範囲を広げ、通知が繰り返される度にその範囲を広げるステップとをさらに具備したことを特徴とする（１７）に記載の入出力機器管理システムの制御方法が提供される。
【００２４】
【発明の実施の形態】
以下図面を参照して本発明の実施の形態について説明する。
【００２５】
（第１の実施形態）
本発明の第１の実施形態として画像形成装置の１つであるデジタル複合機に適用した場合について図面を参照して説明する。
【００２６】
図１は、本発明による画像形成装置として適用される複合型画像形成装置の一種であるデジタル複写機（以下、場合に応じて画像形成装置、デジタル複合機、画像情報入／出力機器とも呼ぶものとする）１の全体構成を概略的に示すものである。
【００２７】
この第１の実施形態におけるデジタル複写機１は、スキャナ２及びプリンタ（レーザエンジン）３を備え、上部に自動原稿送り装置（ＡＤＦ）４が装着されている。
【００２８】
この自動原稿送り装置４は、筐体としてのカバー本体２１の後端縁部が、装置本体の上面後端縁部に図示しないヒンジ装置を介して開閉自在に取付けられており、必要に応じて自動原稿送り装置４全体を回動変位させて原稿台５上を開放し得る構成となっている。
【００２９】
前記カバー本体２１の上面やや右方向部位には、複数枚の原稿を一括保持し得る原稿給紙台２２が設けられている。
【００３０】
装置の一端側には、原稿を順次一枚ずつ取出し原稿台５の一端側（図中左端側）に供給する給送手段２３が設けられている。
【００３１】
この給送手段２３には、原稿を取出すためのピックアップローラ２７、原稿をピックアップローラ２７に押付けるウエイト板２８、原稿給紙台２２への原稿のセット状態を検知する原稿検知センサとしてのエンプティセンサ２９等が配設されている。
【００３２】
さらに、ピックアップローラ２７の原稿取出し方向には、給紙ローラ３２が配置され、確実に原稿が一枚ずつ給送されるようになっている。
【００３３】
原稿台５の上面には、これを覆う原稿搬送ベルト３７が張設されている。
【００３４】
原稿搬送ベルト３７は、一対のベルトローラ４０、４０に掛渡された外表面が白色の幅広無端ベルトからなり、ベルト駆動機構（図示せず）によって正逆両方向に走行し得る構成となっている。
【００３５】
また、原稿搬送ベルト３７の内周部の裏面側には、ベルト面を原稿台５上に押さえ付けるための複数のベルト押えローラ４１…及び自動原稿送り装置の開閉状態を検知するセットスイッチ（図示せず）が設けられている。
【００３６】
そして、前記給送手段２３によって給送された原稿は、原稿台５の一端側（左端側）から他端側（右端側）に搬送される。
【００３７】
当該装置の右側部位に設けられた排紙手段３８には、搬送ローラ４４と、この搬送ローラ４４に原稿を押付けるピンチローラ４５と、排紙方向に送られる原稿の後端を検出する原稿検出手段としての排紙センサ４６等が設けられている。
【００３８】
原稿排出路の下流側には、排紙ローラ４８が配設されている。
【００３９】
また、原稿排出路には、原稿を表裏逆にして原稿台５に導くためにゲート４９が設けられ、原稿を両面複写可能としている。
【００４０】
読取手段としてのスキャナ２は、光源としての露光ランプ６、ミラ−１５を設置した第１キャリッジ７、光路を折曲げるミラ−８ａ，８ｂを設置した第２キャリッジ９、レンズ１０、反射光を受光するＣＣＤセンサ１１、これらを各部の位置を変更する駆動系（図示せず）、及びＣＣＤセンサ１１の出力つまり画像データ（情報）をアナログデータからデジタルデータに変換するＡ／Ｄ変換器（図示せず）により構成されている。
【００４１】
上記第１、第２キャリッジ７、９は、互いにタイミングベルト（図示せず）で結ばれており、第２キャリッジ９は第１キャリッジ７の１／２の速さで同じ方向に移動するようになっている。
【００４２】
これにより、第１、第２キャリッジ７、９は、レンズ１０までの光路長が一定になるように走査することができるようになっている。
【００４３】
上記レンズ１０は、焦点距離固定で、変倍時に光軸方向へ移動されるようになっている。
【００４４】
ＣＣＤセンサ１１は、原稿の１画素がＣＣＤセンサの１つの素子に対応している。
【００４５】
このＣＣＤセンサ１１の出力は、Ａ／Ｄ変換器へ出力されるようになっている。  第１、第２キャリッジ７、９、ミラ−１２ａ、１２ｂの移動は、それぞれステッピングモータ（図示しない）により行われるようになっている。
【００４６】
上記第１、第２キャリッジ７、９は、上記ステッピングモータの回転軸に連結されたドライブプーリ（図示せず）とアイドルプーリ（図示せず）間に掛渡されたタイミングベルト（図示せず）の動作に応じて移動されるようになっている。上記レンズ１０は、対応するステッピングモータ（図示せず）によりスパイラルシャフト（図示せず）が回転し、このスパイラルの動きによって光軸方向へ移動されるようになっている。
【００４７】
レーザ光学系２ａを構成するレーザダイオード６０に対応してコリメートレンズ６２、ポリゴンミラー（多面反射鏡）６４、レンズ６６、反射鏡６８、７０、レンズ７２が配置されていることにより、露光装置５２からのレーザ光が感光体ドラム５０に照射されるようになっている。
【００４８】
画像形成モジュール２Ａすなわち画像形成手段としてのプリンタ３は、例えば、レーザ光学系と転写紙に画像形成が可能な電子写真方式を組み合せている。
【００４９】
すなわち、プリンタ３は、当該画像形成装置内のほぼ中央部に回転自在に軸支された像担持体としての感光体ドラム５０を有している。
【００５０】
この感光体ドラム５０の周囲には、露光装置５２、現像装置５４、転写チャージャ５５、剥離チャージャ５６、クリ−ニング前除電チャージャ５７、クリーナ５８、除電ランプ５９及び帯電チャージャ６１が順に配置されている。
【００５１】
そして、感光体ドラム５０は、帯電チャージャ６１によって一様に帯電されるようになっている。
【００５２】
これによって、スキャナ２からレーザ光が出力されると、前記感光体ドラム５０上に原稿の画像が結像されて静電潜像が形成されるようになっている。
【００５３】
そして、前記感光体ドラム５０上に形成された静電潜像は、現像装置５４により現像され、後述する給紙手段としての給紙カセット３０から給紙ローラ２０、アライニングローラ２５を介して送紙されるコピー用紙（被画像形成媒体）Ｐ上に現像画像を転写チャージャ５５により転写される。
【００５４】
この転写チャージャ５５による転写後のコピー用紙Ｐは、剥離チャージャ５６のＡＣコロナ放電により剥離されて、搬送ベルトを介して定着器７１に搬送される。
【００５５】
この定着器７１によって現像画像が溶融定着されたコピー用紙Ｐは、排紙ローラ対７３によって排紙トレイ７４ａを有するユニット７４に排出される。
【００５６】
ユニット７４は、排紙ローラ対７３から排出されるコピー用紙Ｐをフェイスダウンするローラ対７４ｂを有している。
【００５７】
さらに、ユニット７４の上部には、ステープルソートモードの際に１部毎にステープルするステープラ７４ｃが備えられている。
【００５８】
一方、前記コピー用紙Ｐへの現像画像の転写・剥離後の感光体ドラム５０上に残留した現像剤は、クリ−ニング前除電チャージャ５７で予め除電された後、クリーナ５８により清掃され、除電ランプ５９により感光体ドラム５０上の電位が所定のレベル以下にされ、次のコピー動作を可能にしている。
【００５９】
なお、コピー用紙Ｐの両面に印刷する両面コピーの場合には、前述した定着器７１によって現像画像が溶融定着されたコピー用紙Ｐが搬送路７５ａを介して搬送された後、トレイ７５ｂに蓄積される。
【００６０】
このトレイ７５ｂに蓄積された片面印刷済みの用紙Ｐは、搬送路７５ｃを介して前述した転写チャージャ５５に搬送され、印刷されていない他方の面に現像画像が転写される。
【００６１】
また、トレイ７５ｂの下部に光反射型の紙センサ７５ｄが設けられていることにより、トレイ７５ｂ上にスタックされる用紙の有無が検知される。
【００６２】
搬送路７５ａ、トレイ７５ｂ、搬送路７５ｃ及び紙センサ７５ｄとにより、自動両面反転機構としての自動両面装置（ＡＤＤ）７５が構成されている。
【００６３】
また、図中３０は前記装置本体１のフロント側より着脱自在に上下複数段に装着された給紙手段としての給紙カセットである。
【００６４】
この給紙カセット３０は、コピー用紙Ｐが収納された筐体であるカセットケース３１からなる。
【００６５】
このカセットケース３１の取出し端部は、用紙取出し方向に向け傾斜させてなる構成を有する。
【００６６】
そして、前記給紙カセット３０のカセットケース３１内に収納されたコピー用紙Ｐは、ピックアップローラ８１にて最上層からピックアップされて取り出されるようになっている。
【００６７】
このピックアップローラ８１にて取り出されて前記カセットケース３１の取出し端部側に送り込まれたコピー用紙Ｐは、前記カセットケース３１の取出し端部の内側上方に設置された給紙ローラ８４と分離ローラ（または分離パッド）８５とからなる用紙分離部にて一枚ずつ分離されて、プリンタ３に向け搬送されるようになっているものである。
【００６８】
また、前記装置本体１の右サイド側には、着脱自在に装着された給紙カセット４３と大容量給紙装置（ＬＣＦ）４７とが設けられている。
【００６９】
給紙カセット４３に収納されたコピー用紙Ｐは、ピックアップローラ４３ａにて最上層からピックアップされて取り出されるようになっている。
【００７０】
このピックアップローラ４３ａにて取り出されて給紙カセット４３の取出し端部側に送り込まれたコピー用紙Ｐは、給紙カセット４３の取出し端部の内側上方に設置された給紙ローラ４３ｂと分離ローラ４３ｃとからなる用紙分離部にて一枚ずつ分離されて、プリンタ３に向け搬送されるようになっている。
【００７１】
ＬＣＦ４７に収納されたコピー用紙Ｐは、ピックアップローラ４７ａにて最上層からピックアップされて取り出されるようになっている。
【００７２】
このピックアップローラ４７ａにて取り出されてＬＣＦ４７の取出し端部側に送り込まれたコピー用紙Ｐは、ＬＣＦ４７の取出し端部の内側上方に設置された給紙ローラ４７ｂと分離ローラ４７ｃとからなる用紙分離部にて一枚ずつ分離されて、プリンタ３に向け搬送されるようになっている。
【００７３】
すなわち、図１に示したような、本発明による複合型画像形成装置としてのデジタル複写機１は、原稿を読み取るためのスキャナ２と画像形成モジュール２Ａによって構成されている。
【００７４】
スキャナ２は、ＡＤＦ（オートドキュメントフィーダ）４等で取り込まれた原稿を、光源としての露光ランプ６を用いて光学的に走査し、その反射光をＣＣＤセンサ１１に照射し、Ａ／Ｄ変換を経てデジタル画像信号として読み込む。
【００７５】
画像形成モジュール２Ａは、感光体ドラム５０、レーザ光学系２ａ、給紙トレイとしてのＬＣＦ４７、現像装置５４を含むプリンタ３、定着器５、排紙トレイ７４ａ等により構成される。
【００７６】
レーザ光学系２ａの中にある半導体レーザは、スキャナ２で読み込まれた画像信号によりＯＮ／ＯＦＦし、そのレーザ光はポリゴンミラーにより反射、走査され、感光体５０上に静電潜像を形成する。
【００７７】
この静電潜像は、現像器３により現像された後、給紙トレイ４７により、給紙された用紙上へ転写され、定着器７１にて定着される。
【００７８】
このようにして、画像形成された用紙は、この後、排紙トレイ４７ａ上に排出される。
【００７９】
図２は、本発明の第１の実施形態による画像形成装置として適用されるデジタル複合機における制御系の概略構成を説明するために示すブロック図である。
【００８０】
図２に示すように、この画像形成装置１において、スキャナ２０１は、画像データを取り込むものである。
【００８１】
また、Ｇ３モデム２０２は、グループ３モードのファクシミリ送受信を行うものである。
【００８２】
また、プリンタ２０３は、画像データを印刷出力するものである。
【００８３】
また、画像処理モジュール２０４は、スキャナ２０１やＧ３モデム２０２より入力された画像データを、プリンタ２０３やＧ３モデム２０２に出力可能な画像データ形式に変換を行うなど、画像データの圧縮伸張処理といった各種画像データ処理をするものである。
【００８４】
また、ネットワークＩ／Ｆ２０５は、ＬＡＮ等に接続され、後述するクライアント端末２００Ａ，２００Ｂ，２００Ｃ…としてのＰＣ端末や他のデジタル複合機とデータの送受信をしたりするものである。
【００８５】
また、公衆回線インターフェース（Ｉ／Ｆ）２０６は、一般的な電話回線で携帯電話（携帯無線端末）などとの通信を行うモジュールである。
【００８６】
また、短距離無線（送受信）通信モジュール２０７は、室内または短距離無線通信システムとして、例えば、図１に示したような画像形成装置本体１が設置されている同じオフィスの同じフロワに数１０メートルの範囲内で存在する各ユーザーが所有する携帯無線端末２００ａ，２００ｂ，２００ｃ…との通信を行うものであり、そのアンテナ２０７ａを介しての送信出力は可変である。
【００８７】
また、距離算出モジュール２０８は、前記短距離無線通信モジュール２０７による通信の対象となる各ユーザーが所有する各携帯無線端末２００ａ，２００ｂ，２００ｃ…と通信が確立する最小の送信出力値に基づいて、画像形成装置１とその各携帯無線端末２００ａ，２００ｂ，２００ｃ…との間の距離を算出するものである。
【００８８】
また、インターバルタイマ２０９は、前記短距離無線通信モジュール２０７による通信と、その通信時の送信出力値に基づいて、前記距離算出モジュール２０８による画像形成装置１と各携帯無線端末２００ａ，２００ｂ，２００ｃ…との間の距離の算出とを定期的に行わせるためのものである。
【００８９】
また、携帯電話（無線端末）管理モジュール２１０は、通知する各携帯無線端末２００ａ，２００ｂ，２００ｃ…のユーザーを特定するための情報等を図５に示すような形式のデータベースとして管理するものである。
【００９０】
また、クライアント端末管理モジュール２１１は、通知するクライアント端末２００Ａ，２００Ｂ，２００Ｃ…のユーザーを特定するための情報を図６に示すような形式のデータベースとして管理するものである。
【００９１】
また、ユーザー設定メモリ２１２は、ユーザーがよく使う機能をショートカットとして登録したり、好みの画質を登録したり、後述する操作パネル２１７をカスタマイズしたりした構成データを記憶するものである。
【００９２】
また、ユーザーＩ／Ｆ（モジュール）２１３は、カスタマイズされた画面を後述する操作パネル２１７上のディスプレイ２１４に表示したり、キー割り当てを行ったり、音声案内等を行うものである。
【００９３】
また、ユーザー判別モジュール２１５は、上記インターバルタイマ２０９によって上記短距離無線通信モジュール２０７による各携帯無線端末２００ａ，２００ｂ，２００ｃ…との通信が行われる度に、上記距離算出モジュール２０８によって算出した距離に基づいて上記複数のユーザーにおけるいずれかのユーザーが当該画像情報入／出力機器１に近づいたかを検知するとともに、上記携帯無線端末管理モジュール２１０によって管理されている上記各携帯無線端末２００ａ，２００ｂ，２００ｃ…を特定する識別情報に基づいて当該画像情報入／出力機器１に近づいてきたユーザーの特定を行うものである。
【００９４】
また、制御モジュール（ＣＰＵ）２１６は、上述した各部の動作をコントロールするものである。
【００９５】
図３は、前記操作パネル２１７及びディスプレイ２１４の詳細を示す正面図である。
【００９６】
すなわち、図３は、操作手段としての操作パネル（コントロールパネル）２１７の構成を示している。
【００９７】
この操作パネル２１７は、フィニッシャーキー８２、状態表示器８３、前記給紙カセット３０の選択手段としてのカセット選択キー８６、ＨＥＬＰキー８７、自動用紙選択キー８８、自動倍率選択キー８９、ズーム／１００％キー９０、原稿サイズキー９１、用紙サイズキー９２、メッセージ表示器９３、自動濃度キー９４、マニュアル濃度キー９５、予熱キ−９６、割り込みキー９７、オールクリアキー９８、クリア／ストップキー９９、スタートキー１０１、タイマキー１０３、テンキー１０５、及び機能切り替えキー１２０とから構成されている。
【００９８】
フィニッシャーキー８２は、ソートモード、グループモード、ステイプルモードを選ぶときに使用する。
【００９９】
状態表示器８３は、各種の絵文字が点滅・表示され、複写機の状態を表わすためのものである。
【０１００】
カセット選択キー８６は、選択されているカセットが希望のサイズでないとき、このキーを押して別のカセットを選ぶことができる。
【０１０１】
ＨＥＬＰキー８７は、操作ガイドキーとして押下されると、操作手順を示すメッセージが表示され、機能設定後に押すと設定内容を確認することができる。
【０１０２】
自動用紙選択キ−８８は、通常自動用紙選択モードになっており、図示しない原稿台（ガラス）上にセットされた原稿のサイズを自動的に検出し、それと同じサイズの用紙を自動的に選択する（等倍コピーのみ）。
【０１０３】
自動倍率選択キー８９は、このキーを押して自動倍率選択モードを選び希望する用紙サイズを指定すると、原稿台（ガラス）５上にセットされた原稿のサイズを検出し、自動的にコピー倍率を計算する。
【０１０４】
ズーム／１００％キー９０は、それの「５０％＜」キーを押すと、コピー倍率は１％きざみで５０％まで小さくなる。
【０１０５】
また、それの「＞２００％」キーを押すと、コピー倍率は１％きざみで２００％まで大きくなる。
【０１０６】
また、「１００％」キーを押すと、コピー倍率は等倍（１００％）に戻る。
【０１０７】
原稿サイズキー９１は、原稿サイズをセットするときに使用する。
【０１０８】
すなわち、用紙サイズを選択して原稿サイズキー９１により原稿サイズを指定すると、コピー倍率が自動的にセットされる。
【０１０９】
用紙サイズキー９２は、用紙サイズを選択するときに使用される。
【０１１０】
メッセージ表示器９３は、前記ディスプレイ２１４としてデジタル複写機１の状態、操作手順及びユーザーに対する各種の指示を文字と絵で表示する。
【０１１１】
前記ディスプレイ２１４としてのメッセージ表示器９３は、タッチパネルを内蔵し、機能の設定も行うことができる。
【０１１２】
自動濃度キー９４は、自動濃度を選択すると、デジタル複写機１が自動的に原稿の濃淡を検出して最適コピー濃度を選択する。
【０１１３】
マニュアル濃度キー９５は、マニュアル濃度では希望するコピー濃度を選ぶことができる。
【０１１４】
「うすく」キーを押してコピー濃度を５段階でうすくすることができ、「こく」キーを押してコピー濃度を５段階でこくすることができる。
【０１１５】
予熱キー９６は、このキーを押すと、予熱（節電）状態に入りすべての表示ランプが消える。
【０１１６】
停止後に、再び、コピーをとるときには、もう一度このキーが押される。
【０１１７】
割り込みキー９７は、連続コピーの途中で、割り込みコピーをとりたいときに使用される。
【０１１８】
オールクリアキー９８は、このキーを押すと、選択したモードがすべてクリアされ、標準状態に戻る。
【０１１９】
クリア／ストップキー９９は、コピー枚数を訂正するとき、またはコピー動作を停止させるときに使用される。
【０１２０】
スタートキー１０１は、コピーを開始するときに押される。
【０１２１】
タイマキー１０３が押されると、何時にデジタル複写機１の電源がオン、オフするかがディスプレイ２１４に表示される（ウイークリータイマが設定されている場合）。
【０１２２】
テンキー１０５は、コピーしたい枚数をセットするときに使用するもので、コピー枚数を１〜９９９枚までセットすることができる。
【０１２３】
機能切り替えキー１２０は、複合型のデジタル複写機が備えたファクシミリ機能、プリンタ機能等の機能を切り替えるキーである。
【０１２４】
すなわち、本発明の第１の実施形態では、例えば、複合型のデジタル複写機のような画像情報の読み取り入力または印刷出力を実行する画像情報入／出力機器が対象とされている。
【０１２５】
上記短距離無線通信モジュール２０７は、当該画像情報入／出力機器１からそれぞれ任意の距離にある複数の携帯無線端末２００ａ，２００ｂ，２００ｃ…と、その送信出力を可変させてサーチのための通信可能とする。
【０１２６】
上記距離算出モジュール２０８は、複数の携帯無線端末における各携帯無線端末２００ａ，２００ｂ，２００ｃ…と通信状態にある上記短距離無線通信モジュール２０７の送信出力値から上記複数の携帯無線端末における各携帯無線端末２００ａ，２００ｂ，２００ｃ…ごとの距離を算出する。
【０１２７】
上記携帯無線端末管理モジュール２１０は、少なくとも上記複数の携帯無線端末における各携帯無線端末２００ａ，２００ｂ，２００ｃ…を特定する識別情報、ユーザー情報、上記距離算出モジュール２０８によって算出した距離及び時刻を管理する。
【０１２８】
上記インターバルタイマ２０９は、上記短距離無線通信モジュール２０７による上記複数の携帯無線端末における各携帯無線端末２００ａ，２００ｂ，２００ｃ…との通信及び上記距離算出モジュール２０８による距離の算出を定期的に行わせる。
【０１２９】
上記ユーザー設定メモリ２１２は、複数のユーザーがそれぞれごとにカスタマイズした設定や操作画面を記憶する。
【０１３０】
ユーザー判別モジュール２１５は、前述したように、上記インターバルタイマ部２０９によって上記短距離無線通信モジュール２０７による上記複数の携帯無線端末における各携帯無線端末２００ａ，２００ｂ，２００ｃ…との通信が行われる度に、上記距離算出モジュール２０８によって算出した距離に基づいて上記複数のユーザーにおけるいずれかのユーザーが当該画像情報入／出力機器１に近づいたことを検知するとともに、上記携帯無線端末管理モジュール２１０によって管理されている上記複数の携帯無線端末における各携帯無線端末２００ａ，２００ｂ，２００ｃ…を特定する識別情報に基づいて当該画像情報入／出力機器１に近づいてきたユーザーの特定を行う。
【０１３１】
上記ディスプレイ２１４は、上記ユーザー判別モジュール２１５によって特定されたユーザーがカスタマイズした上記設定及び操作画面に切り替えるために、上記ユーザー設定メモリ２２から上記特定されたユーザーがカスタマイズした上記設定及び操作画面を読み出して表示する。
【０１３２】
図４は、本発明の第１の実施形態において、例えば、複合型のデジタル複写機のような画像情報の読み取り入力または印刷出力を実行する画像情報入／出力機器１が対象とされている場合に、短距離無線通信システムを搭載した画像情報入／出力機器１がその短距離無線通信システム２０７を利用して、所定の位置あるいはそこから移動した任意の位置にいる複数のユーザーが所有している各携帯無線端末２００ａ，２００ｂ，２００ｃ…を無線で探し出し、探し出した各携帯無線端末２００ａ，２００ｂ，２００ｃ…と画像情報入／出力機器１との間の距離を算出し、それらの算出結果等を携帯電話管理モジュール（無線端末管理モジュール）２２０のデータベースに登録する制御方法を説明するために示すフローチャートである。
【０１３３】
まず、各携帯無線端末２００ａ，２００ｂ，２００ｃ…を無線で探し出し、探し出した各携帯無線端末２００ａ，２００ｂ，２００ｃ…と画像情報入／出力機器１との間の距離を算出し、それらの算出結果等を携帯電話管理モジュール（無線端末管理モジュール）２２０のデータベースに登録する制御方法の概要について説明する。
【０１３４】
この複数のユーザーが所有している各携帯無線端末２００ａ，２００ｂ，２００ｃ…を無線で探し出し、探し出した各携帯無線端末２００ａ，２００ｂ，２００ｃ…と画像情報入／出力機器１の距離を算出し、それらの算出結果等を携帯電話管理モジュール（無線端末管理モジュール）２２０のデータベースに登録する処理は、距離測定の要求イベントやインターバルタイマ２０９により定期的に起動される。
【０１３５】
そして、携帯無線端末を再発見したときには、発見時刻の古いものが携帯電話管理モジュール（無線端末管理モジュール）２２０のデータベースから削除されて、最新の情報に更新される。
【０１３６】
初めに、短距離無線通信モジュール２１７の送信出力を最小にし、ごく近辺に存在する携帯無線端末２００ａ，２００ｂ，２００ｃ…のいずれかがサーチされる（ステップＳ１）。
【０１３７】
もし、この条件において、いずれかの携帯無線端末２００ａ，２００ｂ，２００ｃ…を発見した場合には、その発見した全ての携帯無線端末２００ａ，２００ｂ，２００ｃ…についての距離、発見時刻、発見した各携帯無線端末２００ａ，２００ｂ，２００ｃ…の識別情報が、図５に示すような形式で携帯電話管理モジュール（無線端末管理モジュール）２２０のデータベースに登録される（ステップＳ２，Ｓ３）。
【０１３８】
次に、短距離無線通信モジュール２０７の送信出力を最小から少し上げて、上述と同様に各携帯無線端末２００ａ，２００ｂ，２００ｃ…がサーチされる。
【０１３９】
このとき、既に発見している携帯無線端末２００ａ，２００ｂ，２００ｃ…も同時に検知するので、それらを除いて新たに発見した携帯無線端末２００ａ，２００ｂ，２００ｃ…についての識別情報のみが、前述したと同様に、図５に示すような形式で携帯電話管理モジュール（無線端末管理モジュール）２２０のデータベースに登録される（ステップＳ２，Ｓ３）。
【０１４０】
以下、同様に、短距離無線通信モジュール２１７の送信出力を少しづつ上げながら、各携帯無線端末２００ａ，２００ｂ，２００ｃ…がサーチされ、新たに発見した場合には、図５に示すような形式で携帯電話管理モジュール（無線端末管理モジュール）２２０のデータベースに登録するという処理が繰り返えされる（ステップＳ４，Ｓ５）。
【０１４１】
これは、携帯端末管理モジュール２２０に登録されている全ての携帯無線端末２００ａ，２００ｂ，２００ｃ…を発見するか、短距離無線通信モジュール２１７の送信出力が最大になるまで繰り返えされる（ステップＳ６）。
【０１４２】
図７及び図８は、ユーザーが画像形成装置１に対する操作や原稿の受領のために必要な物理的位置に近づいたことを上述したように各携帯無線端末２００ａ，２００ｂ，２００ｃ…のサーチにより検知し、当該ユーザーが要求するカスタマイズ設定への切り替え、プライベート印刷処理の開始、印刷出力原稿の受領完了処理を説明するために示したフローチャートである。
【０１４３】
この場合、ユーザーが画像形成装置１に対する操作や原稿の受領のために必要な物理的位置に近づいたことの検知自体は、上述したようにユーザー判別モジュール２１５によって行われる。
【０１４４】
すなわち、ユーザー判別モジュール２１５は、前述したように、上記インターバルタイマ２０９によって上記短距離無線通信モジュール２０７による上記複数の携帯無線端末における各携帯無線端末２００ａ，２００ｂ，２００ｃ…との通信が行われる度に、上記距離算出モジュール２０８によって算出した距離に基づいて上記複数のユーザーにおけるいずれかのユーザーが当該画像情報入／出力機器１に近づいたかを検知する。
【０１４５】
また、ユーザー判別モジュール２１５は、前述したように、上記携帯無線端末管理モジュール２１０によって管理されている上記複数の携帯無線端末における各携帯無線端末２００ａ，２００ｂ，２００ｃ…を特定する識別情報に基づいて当該画像情報入／出力機器１に近づいてきたユーザーの特定を行う。
【０１４６】
ここで、ユーザーが要求するカスタマイズ設定への切り替え、プライベート印刷処理の開始、印刷出力原稿の受領完了処理は、インターバルタイマ２０９により定期的に起動される。
【０１４７】
まず、ユーザーが画像形成装置１の周囲１ｍ以内の距離に存在するか否かがユーザー判別モジュール２１５によって検知され、当該距離内にユーザーが存在しない場合には、当該ユーザーが要求するカスタマイズ設定への切り替え、プライベート印刷処理のリクエストフラグがセットされていた場合には、そのリクエストフラグのクリアが行われる（ステップＳ１１，Ｓ１２）。
【０１４８】
これはカスタマイズ設定への切り替え、プライベート印刷処理を要求しているユーザーが画像形成装置１に近づいたときに、画像形成装置１が使用中であって印刷処理ができず、その後、印刷可能になったときに、当該ユーザーが周囲１ｍに存在しているか否かを確認し、存在していないときには、その処理をキャンセルするためである。
【０１４９】
次に、あるユーザーの印刷処理終了後、カスタマイズ設定への切り替え、プライベート印刷処理を要求しているユーザーが接近者として画像形成装置１の周囲１ｍ以内に近づいたかた否かがチェックされる（ステップＳ１１，Ｓ１３）。
【０１５０】
次に、そのユーザーの印刷出力原稿の受領が完了しているか否かが判定される（ステップＳ１４）。
【０１５１】
このとき別タスクで原稿受領要求通知などを行っているとき、そのユーザーが画像形成装置１に近づいたことを検知して通知処理を終了することが可能である（ステップＳ１５）。
【０１５２】
次に、接近者がプライベート印刷を要求しているか否かがチェックされ、プライベート印刷を要求している場合には、そのリクエストフラグがセットされる（ステップＳ１６，Ｓ１７）。
【０１５３】
次に、接近者がカスタマイズ設定の切り替えを要求しているか否かがチェックされ、カスタマイズ設定の切り替えを要求している場合には、そのリクエストフラグがセットされる（ステップＳ１８，Ｓ１９）。
【０１５４】
その後、コピー機能が使用中であるか否かがチェックされ、使用中でなければそれぞれの処理が開始される（ステップＳ２０，Ｓ２１）。
【０１５５】
ここで、カスタマイズ設定の切り替えについては、接近者が複数存在しているか否かがチェックされ、複数の接近者が存在した場合には、それらのリストをディスプレイ２１４に表示して該当するユーザーに選択してもらう（ステップＳ２２，Ｓ２３）。
【０１５６】
そして、所定時間経過前に選択された場合には、すなわち、カスタマイズ設定の切り替えを要求するリクエストフラグがセットされていたら、そのカスタマイズ設定の切り替えが開始される（ステップＳ２４，Ｓ２５）。
【０１５７】
なお、所定時間経過しても、選択されない場合には、キャンセルされる。
【０１５８】
以上のような、本発明の第１の実施の形態によれば、ユーザーが自分のカスタマイズ環境を設定する操作が省略でき、より簡単に自分に最適な操作方法や画質が得られるようになる。
【０１５９】
（第２の実施の形態）
本発明の第２の実施の形態として画像形成装置の１つであるデジタル複合機と、ネットワーク上に配置されたクライアントＰＣ端末とから構成されたシステムに適用した場合について説明する。
【０１６０】
まず、この第２の実施の形態では、図９に示すような携帯無線端末と短距離無線通信システムを実現する前述した第１の実施の形態で説明したようなデジタル複合機１のハードウェアとしての各モジュール２０７，２０８，２０９，２１０，２１５と、それらを動作させたり画像形成装置１の携帯電話管理モジュール２１０とデータを共有したりするソフトウェアドライバモジュール２１８を持った一般的なＰＣ端末基本モジュール２１９から構成されたシステムがネットワーク上に図１０に示すのようにＬＡＮで接続されているとする。
【０１６１】
図１０中のクライアント端末１，２（２００Ａ，２００Ｂ）は、ユーザーＭが所有する端末である。
【０１６２】
また、クライアント端末３（２００Ｃ）は、個人が所有するものでは無いが、デジタル複合機１を利用する同一グループの端末である。
【０１６３】
ここで、各クライアント端末１，２，３には、それぞれ上述したような短距離無線通信システムが備えられているものとする。
【０１６４】
図１１及び図１２は、このシステム上で画像形成装置１により印刷処理を開始し、クライアント端末１，２，３に必要な通知を行い各ユーザーが出力原稿を受領するまでのエラー処理を含む制御形態を説明するために示したフローチャートである。
【０１６５】
まず、図１１に示すように、印刷要求発生として、ネットワークに接続されたクライアント端末２から印刷処理がデジタル複合機１に要求される。
【０１６６】
デジタル複合機１は、クライアント端末２からの印刷要求を受付け、その印刷処理を開始するが、その要求が登録されているクライアント端末からのであるか否かをチェックし、もし、その要求が登録されていないクライアント端末からのものであるときには、そのクライアント端末に対して通知を行わずに終了するものとする（ステップＳ３１）。
【０１６７】
次に、印刷要求者が所持する携帯無線端末と、デジタル複合機１及びクライアント端末の各距離（ここでは、印刷要求時距離Ａ０〜Ａｎ）が取得される（ステップＳ３２）。
【０１６８】
今、印刷要求時のユーザーＭの所在地が位置Ａであったとき、デジタル複合機１までの距離Ａ０、クライアント端末１までの距離Ａ１、クライアント端末２までの距離Ａ２が、それぞれ、各端末１，２の短距離無線通信システムを使用して取得されたとする。
【０１６９】
このとき、クライアント端末３は、短距離無線通信システムの通信範囲内にユーザーＭが存在しないので、距離は通信圏外となる。
【０１７０】
上述したようにして取得された距離情報Ａ０，Ａ１，Ａ２は、ＬＡＮを経由し画像形成装置１の携帯電話管理モジュール２１０で共有されるデータベースとして管理される。
【０１７１】
次に、印刷準備を経て画像形成装置１が実際に印刷出力を開始するが、印刷が正常終了もしくはキャンセルされた場合は印刷終了通知を行い、ジャムや紙切れといった障害・エラーが発生した場合には、障害・エラー通知処理を行う（ステップＳ３３，Ｓ３５）。
【０１７２】
まず、印刷完了通知処理について説明する。
【０１７３】
印刷処理が正常に終了した後のユーザー所在地が位置Ｂであったとすると、図１０に示す通りデジタル複合機１との距離Ｂ０と、クライアント端末１との距離Ｂ１、クライアント端末２との距離Ｂ２が携帯端末管理モジュール２１０で共有されているデータベースより取得される（ステップＳ３４，Ｓ３６）。
【０１７４】
印刷要求時と同様に、クライアント端末３は短距離無線システムの範囲内にユーザーＭが存在しないので距離は圏外となる。
【０１７５】
印刷受付時の距離Ａ０〜Ａ２と印刷完了後の距離Ｂ０〜Ｂ２をパラメータにして、例えば、図１３に示すようにテーブル化しておき通知先・通知方法・通知制御の流れをテーブルに従い自動的に変更する（ステップＳ３７）。
【０１７６】
この場合、位置Ｂがデジタル複合機１の短距離無線システムによって検出できる距離の最小値以下であるので、通知を行わず原稿は受領されたとしジョブは終了扱いとなる（ステップＳ３８，Ｓ３９）。
【０１７７】
もし、ユーザーＭが位置Ａの前に座っていたとしたら端末２のディスプレイにポップアップ画面で通知を行い、位置Ｃであればデジタル複合機１から短距離無線端末を使いメッセージと着信音で通知する。
【０１７８】
位置Ｄの場合には、デジタル複合機１の短距離無線通信システムの範囲外であり直接通知ができないので、メッセージ内容、通知方法に関するデータをＬＡＮを使いクライアント端末３へ送り、クライアント端末３の短距離無線通信システムからユーザーＭへ通知が行われる。
【０１７９】
位置Ｅの場合には、どの端末もユーザーＭへ通知できないため通知は保留され、最初にユーザーＭの存在を検知した端末が通知を行うことになる。
【０１８０】
この場合、出力原稿は受領されていないので、所定時間経過後に再度通知が行われ、ユーザーＭによって原稿が受領されるまで繰り返されることになる。
【０１８１】
次に、図１２を参照して障害・エラー通知処理について説明する。
【０１８２】
印刷完了通知と同様に、印刷受付時の距離Ａ０〜Ａ２と印刷完了後の距離Ｂ０〜Ｂ２をパラメータにして、例えば、図１４に示すようにテーブル化しておき通知先・通知方法・通知制御の流れをテーブルに従い自動的に変更する。
【０１８３】
障害・エラー通知は、緊急度が高いため、短距離無線通信システムで通知できない場合には通知を保留せず、通知するユーザーの範囲を広げたり、より広範囲へ通知できる携帯電話を利用したりするところが大きく異なる。
【０１８４】
まず、ユーザーＭの携帯無線端末へデジタル複合機（ＭＰＦ）１の短距離無線通信システムで通知できるか否かが、携帯端末管理モジュール２１０の共有データベースを参照して調べられる（ステップＳ４１）。
【０１８５】
デジタル複合機（ＭＰＦ）１からユーザーＭの携帯無線端末へ直接通知可能な場合には、そこからユーザーＭに直接通知される（ステップＳ４２）。
【０１８６】
もし、直接通知できない場合には、クライアント（ＰＣ）端末経由で通知できるか調べ、可能な場合はネットワークを介して通知内容等をクライアントＰＣ端末へ送り間接的に通知が行われる（ステップＳ４３，Ｓ４４）。
【０１８７】
その間接的通知も不可能な場合には、図１５に示すような通知するユーザーを印刷要求待ちテーブルの上位にエントリされているユーザーから順に広げていき、同様に短距離無線通信で通知が試みられる（ステップＳ４５，Ｓ４６）。
【０１８８】
それも不可能な場合には、最終的に公衆回線を使用してユーザーの携帯電話へ音声メールで通知が行われる（ステップＳ４７）。
【０１８９】
障害・エラー通知を送信し所定時間たっても復旧しない場合には、通知するユーザーを携帯電話利用による通知してない他の印刷要求待ち状態のユーザーへ広げて通知が行われる（ステップＳ４８，Ｓ４９，Ｓ５０，Ｓ５１）。
【０１９０】
以上のような、本発明の第２の実施の形態によれば、印刷要求者の所在地に応じて、最適な通知方法、手段を自動的に選択することができ、処理の進捗状況や障害把握がより迅速にできるようになり画像形成装置の稼動率向上が図れるようになる。
【０１９１】
さらに、本発明の第２の実施の形態によれば、印刷原稿の受領忘れによるトレイ上への原稿放置も軽減することができるようになる。
【０１９２】
【発明の効果】
従って、以上説明したように、本発明によれば、移動しているユーザーとの間の距離が無視されることなく、近づいてきたユーザーに対して有効的な対応を事前に取り得るようにした画像情報入／出力機器及びその画像情報入／出力機器の障害発生時の障害通知を効率的になしうるようにして、ユーザーに不満が残らない障害通知を実現し得るように携帯機器を用いて画像情報入／出力機器を管理するシステム並びにそれらの制御方法を提供することができる。
【図面の簡単な説明】
【図１】図１は、本発明による画像形成装置として適用される複合型画像形成装置の一種であるデジタル複合機の全体構成を概略的に示す図である。
【図２】図２は、本発明の第１の実施形態による画像形成装置として適用されるデジタル複合機における制御系の概略構成を説明するために示すブロック図である。
【図３】図３は、図２の操作パネル及び表示部の詳細を示す図である。
【図４】図４は、本発明の第１の実施形態において、探し出した各携帯無線端末と画像情報入／出力機器との間の距離を携帯電話管理（無線端末管理）モジュールのデータベースに登録する制御方法を説明するために示すフローチャートである。
【図５】図５は、携帯電話管理（無線端末管理）モジュールのデータベースに登録するテーブル形式を示す図である。
【図６】図６は、クライアント端末管理モジュールのデータベースにユーザーを特定するための情報を登録するテーブル形式を示す図である。
【図７】図７は、本発明の第１の実施形態において、ユーザーが画像形成装置に近づいたことを検知し、当該ユーザーが要求するカスタマイズ設定への切り替え、プライベート印刷処理の開始、印刷出力原稿の受領完了処理を説明するために示したフローチャートである。
【図８】図８は、本発明の第１の実施形態において、ユーザーが画像形成装置に近づいたことを検知し、当該ユーザーが要求するカスタマイズ設定への切り替え、プライベート印刷処理の開始、印刷出力原稿の受領完了処理を説明するために示したフローチャートである。
【図９】図９は、本発明の第２の実施形態による短距離無線通信システムを実現する画像形成装置として適用されるデジタル複合機における制御系の概略構成としてハードウェア、ソフトウェアドライバモジュールを持った一般的なＰＣ端末基本モジュールから構成されたシステムを説明するために示すブロック図である。
【図１０】図１０は、本発明の第２の実施形態において図９のシステムと外部のクライアント端末とがＬＡＮで接続されている状態を示す図である。
【図１１】図１１は、本発明の第２の実施形態におけるシステム上で画像形成装置により印刷処理を開始し、クライアント端末に必要な通知を行いながら各ユーザーが出力原稿を受領するまでのエラー処理を含む制御形態を説明するために示したフローチャートである。
【図１２】図１２は、本発明の第２の実施形態におけるシステム上で画像形成装置により印刷処理を開始し、クライアント端末に必要な通知を行いながら各ユーザーが出力原稿を受領するまでのエラー処理を含む制御形態を説明するために示したフローチャートである。
【図１３】図１３は、本発明の第２の実施形態において、印刷受付時の距離と印刷完了後の距離をパラメータにして、テーブル化しておき通知先・通知方法・通知制御の流れをテーブルに従い自動的に変更する印刷完了通知処理を説明するために示した図である。
【図１４】図１４は、本発明の第２の実施形態において、印刷受付時の距離と印刷完了後の距離をパラメータにして、テーブル化しておき通知先・通知方法・通知制御の流れをテーブルに従い自動的に変更する障害・エラー通知処理を説明するために示した図である。
【図１５】図１５は、間接的通知も不可能なときに、短距離無線通信で通知を試みる広げていく場合に、通知するユーザーがエントリされている印刷要求待ちテーブルの形式を示す図である。
【符号の説明】
１…画像形成装置、
２０１…スキャナ、
２０２…Ｇ３モデム、
２０３…プリンタ、
２０４…画像処理モジュール、
２０５…ネットワークＩ／Ｆ、
２００Ａ，２００Ｂ，２００Ｃ……クライアント端末、
２０６…公衆回線インターフェース（Ｉ／Ｆ）、
２０７…短距離無線（送受信）通信モジュール、
２００ａ，２００ｂ，２００ｃ……携帯無線端末、
２０７ａ…アンテナ、
２０８…距離算出モジュール、
２０９…インターバルタイマ、
２１０…携帯電話（無線端末）管理モジュール、
２１１…クライアント端末管理モジュール、
２１２…ユーザー設定メモリ、
２１７…操作パネル、
２１３…ユーザーＩ／Ｆ（モジュール）、
２１４…ディスプレイ、
２１５…ユーザー判別モジュール、
２１６…制御モジュール（ＣＰＵ）、
２１８…ソフトウェアドライバモジュール、
２１９…ＰＣ端末基本モジュール。
【図１】
0003599694.tif 000002
【図２】
0003599694.tif 000003
【図３】
0003599694.tif 000004
【図４】
0003599694.tif 000005
【図５】
0003599694.tif 000006
【図６】
0003599694.tif 000007
【図７】
0003599694.tif 000008
【図８】
0003599694.tif 000009
【図９】
0003599694.tif 000010
【図１０】
0003599694.tif 000011
【図１１】
0003599694.tif 000012
【図１２】
0003599694.tif 000013
【図１３】
0003599694.tif 000014
【図１４】
0003599694.tif 000015
【図１５】
0003599694.tif 000016